(57)【要約】【課題】表示画面に表示するメッセージの表示領域を指定する複数の画面レイアウトから１つの画面レイアウトを選択できる電子広告システムを提供する。【解決手段】電子広告システム１０は、コンピュータネットワーク１１に接続された電子広告システムであって、メッセージを送信するメッセージ送信手段１３と、メッセージ送信手段によって送信されたメッセージを受信するメッセージ受信手段２１と、メッセージの内容を画像表示部１５に表示するための画面レイアウトのテンプレートを少なくとも１つ記憶する画面レイアウト記憶手段２３と、画面レイアウト記憶手段によって記憶された少なくとも１つの画面レイアウトのテンプレートから特定の画面レイアウトのテンプレートに従ってメッセージを画像表示部に表示させる制御手段２２と、を備えた。【選択図】図１
2010176481.tif 000002
【特許請求の範囲】
【請求項１】
コンピュータネットワークに接続された電子広告システムであって、
メッセージを送信するメッセージ送信手段と、
前記メッセージ送信手段によって送信されたメッセージを受信するメッセージ受信手段と、
前記メッセージの内容を画像表示部に表示するための画面レイアウトのテンプレートを少なくとも１つ記憶する画面レイアウト記憶手段と、
前記画面レイアウト記憶手段によって記憶された少なくとも１つの画面レイアウトのテンプレートから特定の画面レイアウトのテンプレートに従って前記メッセージを前記画像表示部に表示させる制御手段と、を備えたことを特徴とする電子広告システム。
【請求項２】
前記メッセージ送信手段は、電子メール送信手段であり、前記メッセージ受信手段は、電子メール受信手段であることを特徴とする請求項１記載の電子広告システム。
【請求項３】
前記電子メール受信手段は、少なくとも１つのメールアカウントを有していることを特徴とする請求項２記載の電子広告システム。
【請求項４】
前記制御手段は、前記少なくとも１つのメールアカウントのそれぞれに対して異なる特定のレイアウトのテンプレートを選択することを特徴とする請求項３記載の電子広告システム。
【請求項５】
前記メッセージ送信手段で送信する情報は、画面レイアウトのテンプレートを指定する画面レイアウト情報を含み、前記制御手段は、前記画面レイアウト情報を読み取り、前記画面レイアウト記憶手段によって記憶された少なくとも１つの画面レイアウトのテンプレートから特定の画面レイアウトのテンプレートを選択する画面レイアウト選択手段を備えることを特徴とする請求項１または２記載の電子広告システム。
【請求項６】
前記制御手段は、前記メッセージ送信手段によって送信したＵＲＬ、もしくは前記メッセージ送信手段によって送信された電子メールに添付される画像、動画、ＨＴＭＬに従って、対応するＵＲＬのウェブページの画像、動画、ＨＴＭＬを受信するＵＲＬ送受信手段を備えたことを特徴とする請求項１〜５のいずれか１項に記載の電子広告システム。
【請求項７】
前記メッセージ送信手段は、電子メール機能を有する携帯電話または、パーソナルコンピュータであることを特徴とする請求項１〜６のいずれか１項に記載の電子広告システム。
【請求項８】
カメラと、画像表示手段と、を備え、
前記制御手段は、前記カメラによって撮影された撮影画像データ内において人間の顔を検出する顔検出手段と、
前記カメラによって撮影された撮影画像データから前記顔の第１の特徴に基づいて前記画像表示手段から前記顔までの距離を推定する距離推定手段と、
前記メッセージを記憶するメッセージ記憶手段と、を備え、
前記距離推定手段によって推定された前記距離が所定の距離になったとき前記メッセージ記憶手段に記憶された前記メッセージを前記画像表示手段に表示することを特徴とする請求項１〜７のいずれか１項に記載の電子広告システム。
【発明の詳細な説明】
【技術分野】
【０００１】
本発明は、電子広告システムに関し、特に、静止画像や動画像等の画像とメッセージ等の文字情報を表示する電子広告システムに関する。
【背景技術】
【０００２】
近年、従来の印刷ポスター等に代わって平面ディスプレイ等によって静止画像や動画像等の画像や文字を表示する電子広告システムが使われ始めている。電子広告システムは、デジタルサイネージとも言われており、印刷後は表示内容が固定されるポスターと異なり、通信手段や内蔵記憶装置に多数の表示情報を保持しておくことで、表示内容を切り換えたり動画像表示を行うなど、多様な電子広告を行うことができる。
【０００３】
電子広告システムは、一般に、プラズマディスプレイや液晶ディスプレイ、ＬＥＤディスプレイ等の表示装置と、映像表示制御部と記憶装置等による制御部を備えており、動画像や静止画像の情報を表示装置に表示するようになっている。電子広告システムの設置場所としては、ビルの壁面やデパート、スーパー、コンビニエンスストア、ホテル、銀行、空港、駅等があげられる。
【０００４】
また、電子広告システムは、日々発展しており、携帯端末からメッセージを送り、そのメッセージを表示装置に表示するシステムが開示されている（例えば、特許文献１参照）。
【０００５】
特許文献１で開示される電子広告システムは、不特定多数の利用者による視聴に供される公開型の電子広告システムであり、不特定の利用者から発信された電子広告に関するメッセージを受け付ける受付手段と、発信した利用者の位置情報を取得し、当該位置情報と指定された種類の電子広告の分布情報とに基づいて、メッセージを反映する電子広告を特定する特定手段と、特定した電子広告にメッセージ表示領域を確保し、メッセージを表示させる表示制御手段を備えたことを特徴としている。
【先行技術文献】
【特許文献】
【０００６】
【特許文献１】特開２００８−２３３２３３号公報
【発明の概要】
【発明が解決しようとする課題】
【０００７】
従来の電子広告システムでは、予め広告用の画像を作成したものを用いて、それを画像表示部に表示するものであった。それゆえ、新たに、その広告にメッセージ等を付け足すことは、また、広告を制作し直さなければならないという問題点があった。そのために、リアルタイムにメッセージを載せることができる仕組みが望まれていた。
特許文献１に開示される電子広告システムでは、不特定の利用者から発信された電子広告に関するメッセージを受け付けて、そのメッセージを電子広告の表示に加えて表示するため、メッセージの送り手は、電子広告システムの表示画面のどこにそのメッセージを表示するかを選択することはできなかった。
電子広告システムの表示画面に表示するメッセージとしては、現在表示画面に表示されている広告以外に、その都度、その広告にさらに付け足したいメッセージを表示したい場合がある。例えば、化粧品の広告を表示しているときに、その日は、特別セールを行うことを知らせたいときなど、表示していた広告に加えて、特別セールを行うというメッセージを文字表示したい場合がある。そのようなときは、そのメッセージを表示することで、広告を見ている人々に関心を引きつける必要がある。しかしながら、特許文献１に開示された電子広告システムでは、メッセージを表示する表示領域が固定されており、メッセージの表示領域が常に同じ領域のため、表示画面が単調となり、広告を見ている人々は、メッセージに注目しなくなってしまう可能性があるという問題点があった。
【０００８】
本発明の目的は、上記課題に鑑み、表示画面に表示するメッセージの表示領域を指定する複数の画面レイアウトのテンプレートから１つの画面レイアウトのテンプレートを選択できる電子広告システムを提供することにある。
【課題を解決するための手段】
【０００９】
本発明に係る電子広告システムは、上記の目的を達成するために、次のように構成される。
第１の電子広告システム（請求項１に対応）は、コンピュータネットワークに接続された電子広告システムであって、メッセージを送信するメッセージ送信手段と、メッセージ送信手段によって送信されたメッセージを受信するメッセージ受信手段と、メッセージの内容を画像表示部に表示するための画面レイアウトのテンプレートを少なくとも１つ記憶する画面レイアウト記憶手段と、画面レイアウト記憶手段によって記憶された少なくとも１つの画面レイアウトのテンプレートから特定の画面レイアウトのテンプレートに従ってメッセージを画像表示部に表示させる制御手段と、を備えたことを特徴とする。
第２の電子広告システム（請求項２に対応）は、上記の構成において、好ましくは、メッセージ送信手段は、電子メール送信手段であり、メッセージ受信手段は、電子メール受信手段であることを特徴とする。
第３の電子広告システム（請求項３に対応）は、上記の構成において、好ましくは、電子メール受信手段は、少なくとも１つのメールアカウントを有していることを特徴とする。
第４の電子広告システム（請求項４に対応）は、上記の構成において、好ましくは、制御手段は、少なくとも１つのメールアカウントのそれぞれに対して異なる特定のレイアウトのテンプレートを選択することを特徴とする。
第５の電子広告システム（請求項５に対応）は、上記の構成において、好ましくは、メッセージ送信手段で送信する情報は、画面レイアウトのテンプレートを指定する画面レイアウト情報を含み、制御手段は、画面レイアウト情報を読み取り、画面レイアウト記憶手段によって記憶された少なくとも１つの画面レイアウトのテンプレートから特定の画面レイアウトのテンプレートを選択する画面レイアウト選択手段を備えることを特徴とする。
第６の電子広告システム（請求項６に対応）は、上記の構成において、好ましくは、制御手段は、メッセージ送信手段によって送信したＵＲＬ（Ｕｎｉｆｏｒｍ  Ｒｅｓｏｕｒｃｅ  Ｌｏｃａｔｏｒ）、もしくはメッセージ送信手段によって送信された電子メールに添付される画像、動画、ＨＴＭＬに従って、対応するＵＲＬのウェブページの画像、動画、ＨＴＭＬを受信するＵＲＬ送受信手段を備えたことを特徴とする。
第７の電子広告システム（請求項７に対応）は、上記の構成において、好ましくは、メッセージ送信手段は、電子メール機能を有する携帯電話または、パーソナルコンピュータであることを特徴とする。
第８の電子広告システム（請求項８に対応）は、上記の構成において、好ましくは、カメラと、画像表示手段と、を備え、制御手段は、カメラによって撮影された撮影画像データ内において人間の顔を検出する顔検出手段と、カメラによって撮影された撮影画像データから顔の第１の特徴に基づいて画像表示手段から顔までの距離を推定する距離推定手段と、メッセージを記憶するメッセージ記憶手段とを備え、距離推定手段によって推定された距離が所定の距離になったときメッセージ記憶手段に記憶されたメッセージを画像表示手段に表示することを特徴とする。
【発明の効果】
【００１０】
本発明によれば、コンピュータネットワークに接続された電子広告システムであって、メッセージを送信するメッセージ送信手段と、メッセージ送信手段によって送信されたメッセージを受信するメッセージ受信手段と、メッセージの内容を画像表示部に表示するための画面レイアウトのテンプレートを少なくとも１つ記憶する画面レイアウト記憶手段と、画面レイアウト記憶手段によって記憶された少なくとも１つの画面レイアウトのテンプレートから特定の画面レイアウトのテンプレートに従ってメッセージを画像表示部に表示させる制御手段と、を備えたため、画像表示部に表示するメッセージの表示領域を指定する複数の画面レイアウトの中から１つの画面レイアウトを選択することができるので、メッセージ送信手段からメッセージを電子広告システムに送り、リアルタイムに画像表示部にそのメッセージを表示することができ、また、画像の表示が単調でなくなり、メッセージへの注目度を上げることができる。
【図面の簡単な説明】
【００１１】
【図１】本発明の第１実施形態に係る電子広告システムを説明する構成図である。
【図２】本発明の第１実施形態に係る電子広告システムの外観図である。
【図３】本発明の第１実施形態に係る電子広告システムの電子広告装置を示すブロック図である。
【図４】メッセージ送信手段を示すブロック図である。
【図５】本発明の第１実施形態に係る電子広告システムの動作を説明するフローチャートである。
【図６】本発明の第１実施形態に係る電子広告システムの動作の具体例を示す図である。
【図７】本発明の第２実施形態に係る電子広告システムにメッセージ送信装置から電子メールで送る内容を示す図である。
【図８】本発明の第２実施形態に係る電子広告システムの電子広告装置を示すブロック図である。
【図９】本発明の第２実施形態に係る電子広告システムの動作を説明するフローチャートである。
【図１０】本発明の第３実施形態に係る電子広告システムをネットワークに接続したときの構成図である。
【図１１】本発明の第３実施形態に係る電子広告システムにメッセージ送信装置から電子メールで送る内容を示す図である。
【図１２】本発明の第３実施形態に係る電子広告システムの電子広告装置を示すブロック図である。
【図１３】本発明の第３実施形態に係る電子広告システムの動作を説明するフローチャートである。
【図１４】本発明の第４実施形態に係る電子広告システムの外観図である。
【図１５】本発明の第４実施形態に係る電子広告システムの電子広告装置を示すブロック図である。
【図１６】本発明の第４実施形態に係る電子広告システムの動作を説明するフローチャートである。
【発明を実施するための形態】
【００１２】
以下に、本発明の好適な実施形態（実施例）を添付図面に基づいて説明する。
【００１３】
図１は、本発明の第１実施形態に係る電子広告システムを説明する構成図である。電子広告システム１は、電子広告装置１０とメッセージ送信装置１３とメールサーバ１２によって構成される。電子広告装置１０は、インターネット等のコンピュータネットワーク１１に接続されている。コンピュータネットワーク１１には、メールの配信を制御するメールサーバ１２が接続されている。そして、メール送信機能を有する携帯電話やパーソナルコンピュータ等のメッセージ送信装置１３をコンピュータネットワーク１１に接続し、それらのメール機能を用いて、メッセージをコンピュータネットワーク１１とメールサーバ１２を介して、電子広告装置１０の電子メールアドレスを指定して、送信する。電子広告装置１０は、複数のメールアカウントを有している。その複数のメールアカウントのそれぞれに対して、異なる画面レイアウトのテンプレートに対応しており、１つのメールアカウントを指定して送ることにより、特定の画面レイアウトのテンプレートが選択され、その画面レイアウトのテンプレートに従ってメッセージを画像表示部１５（図２参照）に表示させる。
【００１４】
図２は、本発明の第１実施形態に係る電子広告装置１０の外観構成を示す図である。また、図３は、本発明の第１実施形態に係る電子広告装置１０を示すブロック図である。図２では、電子広告装置１０がコンビニエンスストア３に設置された例を示している。
【００１５】
図２において、電子広告装置１０は、液晶ディスプレイからなる画像表示部１５と、画像表示部１５で表示する表示画像を制御する制御装置１６と、記憶装置１７を備えている。図中、符号２は、人を表している。電子広告装置１０の画像表示部１５は、コンビニエンスストア３の入口４の近くに設置され、屋外広告の手段として利用したり、コンビニエンスストア３の店内に設置され、店内での広告の手段として利用したりすることができる。図２では、画像表示部１５は、コンビニエンスストア３の入口４の近くに設置されている。
【００１６】
画像表示部１５は、制御装置１６によって制御される。制御装置１６は、記憶装置１７に記憶された表示画像を画像表示部１５に表示させる。なお、制御装置１６は、図示しない映像配信装置によって配信された表示画像を画像表示部１５に表示させてもよい。また、制御装置１６は、後述のメッセージ受信部２１で受信したメッセージを、記憶装置１７の画面レイアウト記憶部２３に記憶された複数の画面レイアウトのテンプレートから１つを選択し、その画面レイアウトのテンプレートに従って、画像表示部１５に表示させる。
【００１７】
記憶装置１７は、画像表示部１５で表示する表示画像が記憶されている。それらの表示画像は、広告用の表示画像等である。例えば、表示画像は、コンビニエンスストア２で販売されている商品の広告用の表示画像であり、女性用化粧品や男性用化粧品や、菓子等の広告用の表示画像である。また、記憶装置１７には、複数の画面レイアウトが記憶されている。
【００１８】
制御装置１６は、図３に示すように、制御部２０と、メッセージ受信部２１と、表示制御部２２と、記憶装置１７を備えている。記憶装置１７は、画面レイアウト記憶部２３を有している。図３では、記憶装置１７が制御装置１６の内部に含まれるように記載されているが、制御装置１６の外部にあってもよい。また、制御装置１６は、例えば、ＣＰＵとメモリと入出力インタフェース等から構成され、制御部２０とメッセージ受信部２１と表示制御部２２と記憶装置１７は、それぞれ、メモリに記憶された制御プログラム、メッセージ受信プログラム、表示制御プログラム等のソフトウェアによってそれらの機能を果たすようにすることができる。もちろん、制御部２０とメッセージ受信部２１と表示制御部２２をハードウェアによる構成または、ハードウェアとソフトウェアとの組み合わせで構成することもできる。
【００１９】
制御部２０は、メッセージ受信部２１と、表示制御部２２と画面レイアウト記憶部２３と記憶装置１７を制御する。
【００２０】
表示制御部２２は、電子メールを受信したときのメールアカウントと画面レイアウト記憶部２３に記憶される画面レイアウトのテンプレートとの対応関係を有するテーブルを記憶しており、そのテーブルを用いて、受信したときのメールアカウントによって対応する画面レイアウトのテンプレートを選択する。その画面レイアウトのテンプレートに従ってメッセージを画像表示部１５に出力し、画像表示部１５は、そのメッセージと表示画像を表示する。
【００２１】
図４は、メッセージ送信装置の概略ブロック構成図である。メッセージ送信装置１３として、携帯電話や携帯端末（ＰＤＡ）、パーソナルコンピュータを用いることができる。メッセージ送信装置１３は、制御部３０とメッセージ送信部３１と記憶部３２と入力部３３を備えている。
【００２２】
制御部３０は、メッセージ送信部３１と記憶部３２と入力部３３を制御する。入力キー等によって入力する入力部３３から入力されたメッセージは、記憶部３２に記憶され、メッセージ送信部３１は、指定された電子メールアドレスに、記憶部３２に記憶されたメッセージを送信する。
【００２３】
次に、図５を用いて、電子広告システム１の動作を説明する。ここでは、メッセージ送信装置１３とメールサーバ１２と電子広告装置１０のそれぞれの処理を関連させてフローチャートに示している。この動作の説明では、例として、広告主が、電子広告システム１を用いて、画像表示部１５にコンビニエンスストア３で販売している化粧品の広告画像を表示しているとする。そのときに、広告主が、「２月の第１週に特別半額セールを行います。」というメッセージをリアルタイムに画像表示部１５に表示する場合を想定する。
【００２４】
ステップＳ１１：メッセージを送る人、すなわち、広告主は、メッセージ送信装置１３からタイトルと本文からなるメッセージと画像等の添付ファイルからなるメールをメールサーバ１２へ送信する。メールの本文としては、「２月の第１週に特別半額セールを行います。」である。
ステップＳ１２：メールサーバ１２は、符号４２で示すメールデータを有するメール情報を取得する。
ステップＳ１３：メールサーバ１２は、メールアドレスから送信する電子広告装置１０を判別する。
ステップＳ１４：メールサーバ１２は、該当する電子広告装置１０に電子メールを送信する。
ステップＳ１５：電子広告装置１０では、メッセージ受信部２１によって電子メールを受信する。
ステップＳ１６：制御部２０は、電子メールアドレスのメールアカウントから画面レイアウトのテンプレートを判別する。
ステップＳ１７：表示制御部２２は、画面レイアウト記憶部２３から符号４３で示す複数の画面レイアウトのテンプレートから１つの画面レイアウトのテンプレートを選択する。
ステップＳ１８：表示制御部２２は、選択した画面レイアウトのテンプレートに従って、符号４４で示すメール内容、すなわち、「２月の第１週に特別半額セールを行います。」というメッセージを配置し、画面表示を行う。
【００２５】
図６は、実際の具体例を示す。携帯電話１３から、タイトル５０と本文５１（「２月の第１週に特別半額セールを行います。」）と画像等の添付ファイル５２を添付して電子メールを送る。電子広告システム１０の電子メール受信手段（メッセージ受信部）２２は、メールアカウントがｘｘｘ１の電子メールアドレスｘｘｘ１＠ｙｙｙ．ｚｚｚ（符号５３）と、メールアカウントがｘｘｘ２の電子メールアドレスがｘｘｘ２＠ｙｙｙ．ｚｚｚ（符号５４）の２つのメールアカウントを有している。そして、それぞれのメールアカウントに対して、それぞれの画面レイアウトのテンプレート５５，５６が対応づけられている。そのとき電子メールアドレス（符号５３）に電子メールを送信すると、メールサーバ１２は電子広告システムに、その電子メールを送る。そして、電子広告システム１０の制御装置１６は、その電子メールアドレスのメールアカウントから画面レイアウトのテンプレートは符号５５の方を選択し、画像表示部１５には、領域５７にタイトルが表示され、領域５８には本文「２月の第１週に特別半額セールを行います。」が表示され、領域５９には画像が表示される。
【００２６】
以上説明したように、本実施形態によれば、画像表示部に表示するメッセージの表示領域を指定する複数の画面レイアウトのテンプレートの中から１つの画面レイアウトのテンプレートを選択することができるので、表示画面が単調でなくなり、メッセージへの注目度を上げることができる。
なお、電子広告装置にメッセージを送るときに、特定の人、例えば、上記のように広告主だけメッセージを表示することができ、他の人々がメッセージを表示できないようにするために、電子メールに、予め決められたパスワードを添付し、電子メール受信手段２２では、予め決められたパスワードの添付した電子メールだけを受け付けるようにすることができる。
【００２７】
次に、本発明の第２実施形態に係る電子広告システムを、図７〜図９を参照して説明する。第１実施形態では、画面レイアウトのテンプレートは、電子メールのメールアカウントを指定することにより選択したが、第２実施形態では、メッセージ送信手段で送信する情報は、画面レイアウトのテンプレートを指定する画面レイアウト情報を含み、メッセージ受信手段は、画面レイアウト情報を読み取り、画面レイアウト記憶手段によって記憶された少なくとも１つの画面レイアウトのテンプレートから特定の画面レイアウトのテンプレートを選択することを特徴とする。この第２実施形態では、電子広告装置７０の外観は、第１実施形態と同様であるので、外観図は省略し、第１実施形態と同様の構成要素については、同一の符号を付し、説明を省略する。
【００２８】
図７は、この第２実施形態でのメッセージ送信装置から電子メールで送る内容を示す図である。電子メール６０には、タイトル６１と本文６２と、画面レイアウト情報６３を送る。例えば、画面レイアウト情報６３は、複数の画面レイアウトにそれぞれ対応する予め決められた番号等である。
【００２９】
図８は、本発明の第２実施形態に係る電子広告システムの電子広告装置７０の制御装置のブロック図である。
【００３０】
制御装置７１は、図８に示すように、制御部７２と、メッセージ受信部７３と、画面レイアウト選択部７４と、表示制御部７５と、記憶装置１７を備えている。記憶装置１７は、画面レイアウト記憶部２３を有している。図８では、記憶装置１７が制御装置７１の内部に含まれるように記載されているが、制御装置７１の外部にあってもよい。また、制御装置７１は、例えば、ＣＰＵとメモリと入出力インタフェース等から構成され、制御部７２とメッセージ受信部７３と画面レイアウト選択部７４と表示制御部７５と記憶装置１７は、それぞれ、メモリに記憶された制御プログラム、メッセージ受信プログラム、画面レイアウト選択プログラム、表示制御プログラム等のソフトウェアによってそれらの機能を果たすようにすることができる。もちろん、制御部７２とメッセージ受信部７３と表示制御部７５をハードウェアによる構成または、ハードウェアとソフトウェアとの組み合わせで構成することもできる。
【００３１】
制御部７２は、メッセージ受信部７３と、画面レイアウト選択部７４と、表示制御部７５と画面レイアウト記憶部２３と記憶装置１７を制御する。
【００３２】
画面レイアウト選択部７４は、番号で指定された画面レイアウト情報と画面レイアウトのテンプレートとの対応テーブルを有し、電子メールの内容から番号で指定された画面レイアウト情報を読み取り、その番号を対応テーブルと参照して、画面レイアウト記憶部２３から一つの画面レイアウトのテンプレートを選択する。
【００３３】
表示制御部７５は、画面レイアウト選択部７４によって選択された画面レイアウトのテンプレートに従ってメッセージを画像表示部１５に出力し、画像表示部１５は、そのメッセージと表示画像を表示する。
【００３４】
次に、図９を用いて、本発明の第２実施形態に係る電子広告システムの動作を説明する。
【００３５】
ステップＳ２１：メッセージを送る人（例えば、広告主）は、メッセージ送信装置１３からタイトルと本文（例えば、「２月の第１週に特別半額セールを行います。」）からなるメッセージと画面レイアウト情報と画像等の添付ファイルからなるメール８０をメールサーバ１２へ送信する。
ステップＳ２２：メールサーバ１２は、符号８１で示すメールデータを有するメール情報を取得する。
ステップＳ２３：メールサーバ１２は、電子メールアドレスから送信する電子広告装置７０を判別する。
ステップＳ２４：メールサーバ１２は、該当する電子広告装置７０に電子メールを送信する。
ステップＳ２５：電子広告装置７０では、メッセージ受信部７３によってメールを受信する。
ステップＳ２６：制御部７２は、画面レイアウト選択部７４を動作させ、画面レイアウト選択部７４は、画面レイアウト情報を読み取る。
ステップＳ２７：画面レイアウト選択部７４は、画面レイアウト情報に対応する画面レイアウトのテンプレートを画面レイアウト記憶部２３から選択する。
ステップＳ２８：表示制御部７５は、画面レイアウト選択部７４で選択した画面レイアウトのテンプレートに従って、符号８２で示すメール内容（「２月の第１週に特別半額セールを行います。」）を配置し、画面表示を行う。
【００３６】
以上説明したように、本実施形態によれば、表示画面に表示するメッセージの表示領域を指定する複数の画面レイアウトのテンプレートの中から１つの画面レイアウトのテンプレートを選択することができるので、表示画面が単調でなくなり、メッセージへの注目度を上げることができる。
なお、電子広告装置にメッセージを送るときに、特定の人、例えば、上記のように広告主だけメッセージを表示することができ、他の人々がメッセージを表示できないようにするために、電子メールに、予め決められたパスワードを添付し、電子メール受信手段２２では、予め決められたパスワードの添付した電子メールだけを受け付けるようにすることができる。
【００３７】
次に、本発明の第３実施形態に係る電子広告システムを説明する。
【００３８】
図１０は、本発明の第３実施形態に係る電子広告システムを説明する構成図である。第３実施形態では、ネットワーク１１にＷｅｂサーバ９０を備え、メッセージ送信装置１３から、メッセージ以外に、ネットワーク１１に接続されたウェブページの内容を電子広告装置に送信し、画像表示部１５にメッセージと共に表示する。電子広告装置９１は、インターネット等のコンピュータネットワーク１１に接続されている。コンピュータネットワーク１１には、メールの配信を制御するメールサーバ１２とウェブページの配信を制御するＷｅｂサーバ９０が接続されている。そして、メール送信機能を有する携帯電話やパーソナルコンピュータ等のメッセージ送信装置１３をコンピュータネットワーク１１に接続し、それらのメール機能を用いて、メッセージをコンピュータネットワーク１１とメールサーバ１２を介して、電子広告装置９１の電子メールアドレスを指定して、送信する。また、同時に、電子広告装置９１に表示させたいウェブページのＵＲＬを送信する。電子広告装置９１は、複数のメールアカウントを有しており、その複数のメールアカウントに対してそれぞれ、異なる画面レイアウトのテンプレートに対応しており、１つのメールアカウントを指定して送ることにより、特定の画面レイアウトのテンプレートが選択され、その画面レイアウトのテンプレートに従ってメッセージを表示画面に表示させる。また、電子広告装置９１は、メッセージ送信装置１３から送られてきたＵＲＬ、もしくは電子メールに添付された画像、動画、ＨＴＭＬに従って、そのＵＲＬのウェブページの画像、動画、ＨＴＭＬを表示する。
【００３９】
図１１は、この第３実施形態でのメッセージ送信装置から電子メールで送る内容を示す図である。電子メール１００には、タイトル１０１と本文１０２と、表示させたいウェブページのＵＲＬ１０３を送る。
【００４０】
図１２は、本発明の第３実施形態に係る電子広告システムの電子広告装置９１の制御装置のブロック図である。
【００４１】
制御装置１１０は、図１２に示すように、制御部１１１と、メッセージ受信部１１２と、ＵＲＬ送受信部１１３と、表示制御部１１４と、記憶装置１７を備えている。記憶装置１７は、画面レイアウト記憶部２３を有している。図１２では、記憶装置１７が制御装置１１０の内部に含まれるように記載されているが、制御装置１１０の外部にあってもよい。また、制御装置１１０は、例えば、ＣＰＵとメモリと入出力インタフェース等から構成され、制御部１１１とメッセージ受信部１１２ＵＲＬ送受信部１１３と表示制御部１１４と記憶装置１７は、それぞれ、メモリに記憶された制御プログラム、メッセージ受信プログラム、ＵＲＬ送受信プログラム、表示制御プログラム等のソフトウェアによってそれらの機能を果たすようにすることができる。もちろん、制御部１１１とメッセージ受信部１１２とＵＲＬ送受信部１１３と表示制御部１１４をハードウェアによる構成または、ハードウェアとソフトウェアとの組み合わせで構成することもできる。
【００４２】
制御部１１１は、メッセージ受信部１１２と、ＵＲＬ送受信部１１３と、表示制御部１１４と画面レイアウト記憶部２３と記憶装置１７を制御する。
【００４３】
ＵＲＬ送受信部１１３は、電子メールで送られたＵＲＬを読み取り、Ｗｅｂサーバ９０に送り、そのＵＲＬのウェブページの画像をＷｅｂサーバから受信する。
【００４４】
表示制御部１１３は、電子メールを受信したときのメールアカウントと画面レイアウト記憶部２３に記憶される画面レイアウトとの対応関係を有するテーブルを記憶しており、そのテーブルを用いて、電子メールを受信したときのメールアカウントによって対応する画面レイアウトのテンプレートを選択する。その画面レイアウトのテンプレートに従ってメッセージとＷｅｂサーバから受信したウェブページの画像を画像表示部１５に出力し、画像表示部１５は、そのメッセージと画像を表示する。
【００４５】
次に、図１３を用いて、本発明の第３実施形態に係る電子広告システムの動作を説明する。
【００４６】
ステップＳ３１：メッセージを送る人（例えば、広告主）は、メッセージ送信装置１３からタイトルと本文（例えば、「２月の第１週に特別半額セールを行います。」）からなるメッセージとＵＲＬと画像等の添付ファイルからなる電子メール１２０をメールサーバ１２へ送信する。
ステップＳ３２：メールサーバ１２は、符号１２１で示す電子メールデータを有する電子メール情報を取得する。
ステップＳ３３：メールサーバ１２は、電子メールアドレスから送信する電子広告装置９１を判別する。
ステップＳ３４：メールサーバ１２は、該当する電子広告装置に電子メールを送信する。  ステップＳ３５：電子広告システム９１では、メッセージ受信部１１２によって電子メールを受信する。
ステップＳ３６：制御部１１１は、電子メールアドレスから画面レイアウトのテンプレートを判別する。
ステップＳ３７：ＵＲＬ送受信部１１３は、ＵＲＬに対応する画像を取得する。
ステップＳ３８：表示制御部１１４は、画面レイアウト記憶部２３から符号１２２で示す複数の画面レイアウトのテンプレートから１つの画面レイアウトのテンプレートを選択する。
ステップＳ３９：選択した画面レイアウトで符号１２３で示すメール内容（例えば「２月の第１週に特別半額セールを行います。」）を配置し、ウェブページの画像と共に表示を行う。
【００４７】
以上説明したように、本実施形態によれば、表示画面に表示するメッセージの表示領域を指定する複数の画面レイアウトのテンプレートの中から１つの画面レイアウトのテンプレートを選択することができるので、表示画面が単調でなくなり、メッセージへの注目度を上げることができる。
なお、第３実施形態では、画面レイアウトのテンプレートを電子広告システムのメールアカウントによって１つ選択するようにしたが、第２実施形態で説明したような画面レイアウト情報を送ることによって画面レイアウトのテンプレートを選択するようにしてもよい。
なお、電子広告装置にメッセージを送るときに、特定の人、例えば、上記のように広告主だけメッセージを表示することができ、他の人々がメッセージを表示できないようにするために、電子メールに、予め決められたパスワードを添付し、電子メール受信手段２２では、予め決められたパスワードの添付した電子メールだけを受け付けるようにすることができる。
【００４８】
次に、本発明の第４実施形態に係る電子広告システムを、図１４〜図１６を参照して説明する。
【００４９】
図１４は、本発明の第４実施形態に係る電子広告システムの外観構成を示す図であり、図１５は、本発明の第４実施形態に係る電子広告システムの電子広告装置を示すブロック図である。この電子広告システムは、人の画面からの距離を推定する距離推定手段を備え、距離推定手段によって画面からの人の距離が推定され、その人の画面からの距離が所定の距離になったときに、画面に、メッセージ送信装置から送られてきたメッセージを表示することができるシステムである。図１４〜図１６において、第１実施形態と同一の構成要素は同一の符号を付し、説明を省略する。
【００５０】
図１４において、電子広告装置２００は、カメラ２０１と、液晶ディスプレイからなる画像表示部１５と、画像表示部１５で表示する表示画像を制御する制御装置２０２と、記憶装置１７を備えている。
【００５１】
カメラ２０１は、画像表示部１５の画面の取り付け台に取り付けられ、画面の前方を撮影する。カメラ２０１で撮影された撮影画像は、制御装置２０２に送られ、その撮影画像内に人の顔が検出されたら、その人の顔と画面との距離を推定する。そして、その推定された距離が所定の距離になったとき、メッセージ送信手段から送信されたメッセージを選択した画面レイアウトで表示する。例えば、人の顔と画面との距離が１０ｍ以上離れていた場合には、メッセージ送信手段からメッセージが送られていてもメッセージをメッセージ記憶部に記憶するだけで、画像表示部には表示しない。人の顔と画面との距離が１０ｍ以内の場合には、メッセージ記憶部に記憶されたメッセージが、選択された画面レイアウトで画像表示部に表示される。カメラ２０１は、画面を見ている人の注意を引きつけないように目立たない小型のものが用いられることが好ましい。
【００５２】
制御装置２０２は、図１５に示すように、制御部２０と、メッセージ受信部２１と、表示制御部２２と、メッセージ記憶部２０３と、顔検出部２０４と、距離推定部２０５を備えている。また、制御装置２０２は、例えば、ＣＰＵとメモリと入出力インタフェース等から構成され、制御部２０と表示制御部２２と顔検出部２０４と距離推定部２０５は、それぞれ、メモリに記憶された制御プログラム、表示制御プログラム、顔検出プログラム、距離推定プログラム等のソフトウェアによってそれらの機能を果たすようにすることができる。もちろん、制御部２０と顔検出部２０４と距離推定部２５をハードウェアによる構成または、ハードウェアとソフトウェアとの組み合わせで構成することもできる。
【００５３】
制御部２０は、カメラ２０１と画像表示部１５の動作を制御する。また、制御部２０は、顔検出部２０４と、メッセージ記憶部２０３と、距離推定部２０５と、表示制御部２２と記憶装置１４を制御する。
【００５４】
顔検出部２０４は、例えば、パターン認識処理を実行してカメラ２０１によって撮影された撮影画像データから顔の情報を検出する。そして、画像データから顔の情報が検出されたならば、制御部２０に顔が検出されたことを知らせる信号を送る。また、顔が検出されたならば、制御部２０は、顔の情報を距離推定部２２へ送る指令を出力する。顔の情報を距離推定部２２に送る。この顔検出部２１の処理は、例えば、特開２００８−１９１６８３号公報に開示された方法を用いることができる。すなわち、まず、型の中心点を取得した撮影画像データのある座標点に置き、この中心点を走査しながら、型と撮影画像データとの重なり部分の類似度を計算して、類似度が最大になる位置を決定する。顔の撮影画像データから抽出されたパターンを、例えば目や耳等の形状を含む型にマッチングさせることにより、目の位置等の顔の情報を取得することができる。そして、パターン認識を用いる方法以外に、ニューラルネットワーク等による学習を用いる方法、物理的な形状における特徴のある部位を撮影画像領域から抽出する方法等、多数の方法がある。ここで、パターン認識とは、抽出されたパターンを予め定められた概念の１つに対応（マッチング）させる処理である。また、型マッチングとは、型を撮影画像上で移動させながら、撮影画像と型とを比較する方法である。この方法により、目と鼻等の物理的形状を撮影画像領域から抽出する。
【００５５】
距離推定部２０５は、顔検出部２０４から送られた顔の情報から目の間隔のピクセル数をカウントし、このピクセル数により目の間隔を算出する。そして、予め求めておいた目の間隔（ピクセル数）と距離との関係を示すグラフを用いて、画面から顔までの距離を推定する。推定された人と画面との間の距離の情報は、表示制御部２２に出力される。
【００５６】
画像制御部２２は、人と画面との距離が所定の値以内になったときに、メッセージ送信装置から送られてメッセージ記憶部２０３に記憶されたメッセージを画面レイアウト記憶部２３から選択した指定された画面レイアウトで画像表示部１５に出力し、画像表示部１５は、そのメッセージを表示する。
【００５７】
メッセージ記憶部２０３は、メッセージ送信装置から送られ、メッセージ受信部２１で受信したメッセージを記憶する。
【００５８】
次に、図１６を用いて、電子広告システムの動作を説明する。ここでは、化粧品の広告用表示画像を具体例としてあげて説明する。まず、画像表示部１５の画面には、人の顔と画面が１０ｍ以上離れていても見ることができる化粧品の名前とパッケージが大きく描かれた表示画像が表示されている。
【００５９】
まず、メッセージ、例えば、「２月の第１週に特別半額セールを行います。」というメッセージは、第１実施形態で説明した図５に示されるステップＳ１１〜Ｓ１５によって電子広告装置まで送られ、メッセージ受信部によってメールを受信する。そして、ステップＳ１６において、制御部２０は、電子メールアドレスのメールアカウントから画面レイアウトのテンプレートを判別する。
その後の動作を図１６で示すフローチャートで説明する。
【００６０】
ステップＳ４１：表示制御部２２は、画面レイアウト記憶部２３から符号４３で示す複数の画面レイアウトのテンプレートから１つの画面レイアウトのテンプレートを選択し、そのテンプレートを記憶する。
ステップＳ４２：メッセージ受信部によって受信したメッセージをメッセージ記憶部に記憶する。
ステップＳ４３：カメラ２０１によって画像表示部１５の前方が撮影され、画像データが顔検出部２０４に送られる。
ステップＳ４４：顔検出部２０４によって顔が検出されたか否かを判断する。顔が検出されなければ、ステップＳ４３に戻る。
ステップＳ４５：顔検出部２０４によって顔が検出されたならば、顔の情報が距離推定部２０５に送られ、その顔の情報から目の間隔のピクセル数をカウントし、目の間隔を算出する。
ステップＳ４６：距離推定部２０５によって目の間隔に基づいて人と画面との距離を推定する。
ステップＳ４７：制御部２０は、その距離情報が、所定の距離より遠いか近いかを判断する。
ステップＳ４８：ステップＳ４７において、距離が所定の距離よりも遠いならば、現在の内容を継続して表示し続ける。すなわち、画像表示部１２の画面には、化粧品の名前とパッケージが大きく描かれた表示画像が表示されたままとなる。
ステップＳ４９：ステップＳ４７において、距離が所定の距離よりも近いならば、表示制御部２２は、選択した画面レイアウトのテンプレートに従って、符号４４で示すメール内容、すなわち、「２月の第１週に特別半額セールを行います。」というメッセージを配置し、画面表示を行う。
【００６１】
なお、ここでは、目の間隔によって距離を推定したが、顔のサイズから距離を推定するようにしてもよい。そのときには、予め記憶装置１７または制御装置２０２の図示しないメモリのデータ記憶領域に、顔のサイズに対応して距離が定められたテーブルを記憶しておく。また、顔の輪郭から目の位置までの長さと、目の間隔に基づいて距離を推定することもできる。このときには、顔の角度も推定し、それにより、距離を補正することができる。また、距離推定部２２によって推定される目の間隔や顔のサイズの時間変化から、その人の画面に接近する速度を推定し、画面との距離が適当な位置にくるタイミングで表示画像を切り換えるようにしてもよい。そのときには、その人の画面に接近する速度を推定する速度推定部を制御装置２０２に設ければよい。
【００６２】
以上説明したように、本実施形態によれば、人の位置が画面の近くに来たときにタイミング良くメッセージを表示するので、メッセージへの注目度を上げることができる。
【００６３】
なお、本実施形態では、表示装置として、液晶ディスプレイを用いて説明したが、それに限らす、プラズマディスプレイ（ＰＤＰ）やＬＥＤディスプレイ等でもよい。また、本実施形態では、電子広告システムをコンビニエンスストアに設置した場合で説明したが、電子広告システムの設置場所として、ビルの壁面やデパート、スーパー、ホテル、銀行、空港、駅等があげられる。
【００６４】
以上の実施形態で説明された構成、配置関係等については本発明が理解・実施できる程度に概略的にしたものにすぎない。従って本発明は、説明された実施形態に限定されるものではなく、特許請求の範囲に示される技術的思想の範囲を逸脱しない限り様々な形態に変更することができる。
【符号の説明】
【００６５】
１０        電子広告システム
１１        コンピュータネットワーク
１２        メールサーバ
１３        メッセージ送信装置
１５        画像表示部
１６        制御装置
１７        記憶装置
２０        制御部
２１        メッセージ受信部
２２        表示制御部
２３        画面レイアウト記憶部
【図１】
2010176481.tif 000003
【図２】
2010176481.tif 000004
【図３】
2010176481.tif 000005
【図４】
2010176481.tif 000006
【図５】
2010176481.tif 000007
【図６】
2010176481.tif 000008
【図７】
2010176481.tif 000009
【図８】
2010176481.tif 000010
【図９】
2010176481.tif 000011
【図１０】
2010176481.tif 000012
【図１１】
2010176481.tif 000013
【図１２】
2010176481.tif 000014
【図１３】
2010176481.tif 000015
【図１４】
2010176481.tif 000016
【図１５】
2010176481.tif 000017
【図１６】
2010176481.tif 000018